【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
物体側から像側へ順に、変倍のためには不動の正の屈折力の第１レンズ群、変倍に際して移動する負の屈折力の第２レンズ群、変倍に際して移動する正の屈折力の第３レンズ群、変倍に際して移動する正の屈折力の第４レンズ群、変倍のためには不動の正の屈折力の第５レンズ群から構成されるズームレンズにおいて、
前記第１レンズ群乃至第５レンズ群のそれぞれは少なくとも正負１枚ずつのレンズを含み、前記第４レンズ群の正レンズの平均アッベ数をνｐ、前記第４レンズ群の負レンズの平均アッベ数をνｎ、前記第２レンズ群の広角端における結像倍率をβ２ｗ、前記第２レンズ群の望遠端における結像倍率をβ２ｔ、前記第２レンズ群が結像倍率−１倍のズーム位置ｚ２における前記第３レンズ群と前記第４レンズ群からなる合成レンズ群の結像倍率をβ３４ｚ２としたとき、
１０＜νｐ−νｎ＜５４
−１＜β２ｗ＜−０．０５
−５＜β２ｔ＜−１
−１＜β３４ｚ２＜−０．３
を満足することを特徴とするズームレンズ。
【請求項２】
前記第３レンズ群は広角端から望遠端への変倍に際して結像倍率−１倍の点を通過し、前記第３レンズ群の焦点距離をｆ３、前記第４レンズ群の焦点距離をｆ４としたとき、
０．１＜ｆ３／ｆ４＜１．０
を満足することを特徴とする請求項１に記載のズームレンズ。
【請求項３】
前記第４レンズ群の最も物体側の負レンズの物体側の面の曲率半径をＲ４１、前記第４レンズ群の最も物体側の負レンズの像側の面の曲率半径をＲ４２としたとき、
０．５＜（Ｒ４１＋Ｒ４２）／（Ｒ４１−Ｒ４２）＜１０
を満足することを特徴とする請求項１又は２に記載のズームレンズ。
【請求項４】
前記第２レンズ群の正レンズのアッベ数の平均値をν２ｐ、前記第２レンズ群の正レンズの部分分散値の平均値をθ２ｐ、前記第２レンズ群の負レンズのアッベ数の平均値をν２ｎ、前記第２レンズ群の負レンズの部分分散比の平均値をθ２ｎとしたとき、
−５．５×１０-3＜（θ２ｐ−θ２ｎ）／（ν２ｐ−ν２ｎ）＜−２．０×１０-3
を満足することを特徴とする請求項１乃至３の何れか１項に記載のズームレンズ。
【請求項５】
前記第３レンズ群の正レンズのアッベ数の平均値をν３ｐ、前記第３レンズ群の正レンズの部分分散比の平均値をθ３ｐ、前記第３レンズ群の負レンズのアッベ数の平均値をν３ｎ、前記第３レンズ群の負レンズの部分分散比の平均値をθ３ｎ、前記第４レンズ群の正レンズのアッベ数の平均値をν４ｐ、前記第４レンズ群の正レンズの部分分散比の平均値をθ４ｐ、前記第４レンズ群の負レンズのアッベ数の平均値をν４ｎ、前記第４レンズ群の負レンズの部分分散比の平均値をθ４ｎとしたとき、
−２．５×１０-3＜（θ３ｐ−θ３ｎ）／（ν３ｐ−ν３ｎ）＜−２．０×１０-4
−３．５×１０-3＜（θ４ｐ−θ４ｎ）／（ν４ｐ−ν４ｎ）＜−５．０×１０-4
を満足することを特徴とする請求項１乃至４の何れか１項に記載のズームレンズ。
【請求項６】
広角端における前記第３レンズ群と前記第４レンズ群の合成焦点距離をｆ３４ｗ、前記ズームレンズのズーム比ｚとしたとき、ズーム比ｚ0.25のズーム位置ｚ１における前記第３レンズ群と前記第４レンズ群の合成焦点距離をｆ３４ｚ１としたとき、
０．５＜ｆ３４ｗ／ｆ３４ｚ１＜１．０６
を満足することを特徴とする請求項１乃至５の何れか１項に記載のズームレンズ。
【請求項７】
前記第１レンズ群の焦点距離をｆ１、前記第２レンズ群の焦点距離をｆ２、全系の望遠端における焦点距離をｆｔとしたとき、
１．５＜｜ｆｔ／ｆ１｜＜５．０
３．０＜｜ｆ１／ｆ２｜＜１５．０
を満足することを特徴とする請求項１乃至６の何れか１項に記載のズームレンズ。
【請求項８】
前記第２レンズ群の広角端と望遠端における横倍率の比をβ２ｗｔ、前記第３レンズ群と前記第４レンズ群からなる合成レンズ群の広角端と望遠端における横倍率の比をβ３４ｗｔとしたとき、
２．０＜β２ｗｔ／β３４ｗｔ＜７．０
を満足することを特徴とする請求項１乃至７の何れか１項に記載のズームレンズ。
【請求項９】
前記第４レンズ群は少なくとも１面が非球面で構成されており、正の屈折力の面が前記非球面である場合は光軸から周辺に向かい正の屈折力が弱くなる形状であり、負の屈折力の面が前記非球面である場合は光軸から周辺に向かい負の屈折力が強くなる形状である、ことを特徴とする請求項１乃至８の何れか１項に記載のズームレンズ。
【請求項１０】
請求項１乃至９の何れか１項に記載のズームレンズと前記ズームレンズによって形成された像を受光する固体撮像素子を有することを特徴とする撮像装置。
【手続補正２】
【補正対象書類名】明細書
【補正対象項目名】０００８
【補正方法】変更
【補正の内容】
【０００８】
本発明のズームレンズは、物体側から像側へ順に、変倍のためには不動の正の屈折力の第１レンズ群、変倍に際して移動する負の屈折力の第２レンズ群、変倍に際して移動する正の屈折力の第３レンズ群、変倍に際して移動する正の屈折力の第４レンズ群、変倍のためには不動の正の屈折力の第５レンズ群から構成されるズームレンズにおいて、前記第１レンズ群乃至第５レンズ群のそれぞれは少なくとも正負１枚ずつのレンズを含み、前記第４レンズ群の正レンズの平均アッベ数をνｐ、前記第４レンズ群の負レンズの平均アッベ数をνｎ、前記第２レンズ群の広角端における結像倍率をβ２ｗ、前記第２レンズ群の望遠端における結像倍率をβ２ｔ、前記第２レンズ群が結像倍率−１倍のズーム位置ｚ２における前記第３レンズ群と前記第４レンズ群からなる合成レンズ群の結像倍率をβ３４ｚ２としたとき、
１０＜νｐ−νｎ＜５４
−１＜β２ｗ＜−０．０５
−５＜β２ｔ＜−１
−１＜β３４ｚ２＜−０．３
を満足することを特徴としている。
【手続補正３】
【補正対象書類名】明細書
【補正対象項目名】００２３
【補正方法】変更
【補正の内容】
【００２３】
条件式（２）は、第２レンズ群Ｕ２の広角端における横倍率を規定している。条件式（２）の上限の条件が満たされないと、第１レンズ群Ｕ１と第２レンズ群Ｕ２の間隔が空き過ぎるため、レンズ全長が伸びてしまう。または第２レンズ群Ｕ２の屈折力が大きくなり過ぎるため、ズームに伴う収差変動が増大してしまう。条件式（２）の下限の条件が満たされないと、望遠端で第２〜第４レンズ群Ｕ２〜Ｕ４の間隔を確保することが困難となり、高ズーム比に不向きである。
【手続補正４】
【補正対象書類名】明細書
【補正対象項目名】００４９
【補正方法】変更
【補正の内容】
【００４９】
４つのズーム位置の中で２番目がズーム位置ｚ１（ｆ＝２８．５０ｍｍ）であり、この焦点距離の近傍にて第１レンズ群Ｕ１のレンズ径を決定している。３番目がズーム位置ｚ２（ｆ＝２７５．８２ｍｍ）であり、第２群の結像倍率β２は−１である。この焦点距離近傍にて第３レンズ群Ｕ３、第４レンズ群Ｕ４のレンズ径を決定している。
【手続補正５】
【補正対象書類名】明細書
【補正対象項目名】００５７
【補正方法】変更
【補正の内容】
【００５７】
広角端から望遠端への変倍に際して、第２レンズ群Ｕ２は像側へ直線的に移動するとき、第３レンズ群Ｕ３はズーム中間で非直線的な軌跡を描きながら概ね像側から物体側へ移動する。実施例１と比べ、特に広角端で第３レンズ群Ｕ３と第４レンズ群Ｕ４の間隔を広げており、第３、第４レンズ群Ｕ３、Ｕ４のレンズ径の小型化の効果がより大きい。
【手続補正６】
【補正対象書類名】明細書
【補正対象項目名】００５８
【補正方法】変更
【補正の内容】
【００５８】
４つのズーム位置の中で２番目がズーム位置ｚ１（ｆ＝２８．４６ｍｍ）であり、この焦点距離の近傍にて第１レンズ群Ｕ１のレンズ径を決定している。３番目がズーム位置ｚ２（ｆ＝２４９．８４ｍｍ）であり、第２群の結像倍率β２は−１である。この焦点距離近傍にて第３及び第４レンズ群Ｕ３、Ｕ４のレンズ径を決定している。
【手続補正７】
【補正対象書類名】明細書
【補正対象項目名】００６４
【補正方法】変更
【補正の内容】
【００６４】
広角端から望遠端への変倍に際して、第２レンズ群Ｕ２は像側へ直線的に移動するとき、第３レンズ群Ｕ３はズーム中間で非直線的な軌跡を描きながら概ね像側から物体側へ移動する。実施例１と比べ、特に望遠端で第３レンズ群Ｕ３と第４レンズ群Ｕ４の間隔を広げており、高ズーム比化に有利な軌跡をとっている。
【手続補正８】
【補正対象書類名】明細書
【補正対象項目名】００６５
【補正方法】変更
【補正の内容】
【００６５】
４つのズーム位置の中で２番目がズーム位置ｚ１（ｆ＝２９．１５ｍｍ）であり、この焦点距離の近傍にて第１レンズ群Ｕ１のレンズ径を決定している。３番目がズーム位置ｚ２（ｆ＝２３９．８４ｍｍ）であり、第２群の結像倍率β２は−１である。この焦点距離近傍にて第３及び第４レンズ群Ｕ３、Ｕ４のレンズ径を決定している。
【手続補正９】
【補正対象書類名】明細書
【補正対象項目名】００７２
【補正方法】変更
【補正の内容】
【００７２】
４つのズーム位置の中で２番目がズーム位置ｚ１（ｆ＝２９．４６ｍｍ）であり、この焦点距離の近傍にて第１レンズ群Ｕ１のレンズ径を決定している。３番目がズーム位置ｚ２（ｆ＝２５１．９７ｍｍ）であり、第２群の結像倍率β２は−１である。この焦点距離近傍にて第３及び第４レンズ群Ｕ３、Ｕ４のレンズ径を決定している。
【手続補正１０】
【補正対象書類名】明細書
【補正対象項目名】００７９
【補正方法】変更
【補正の内容】
【００７９】
４つのズーム位置の中で２番目がズーム位置ｚ１（ｆ＝１５．５３ｍｍ）であり、この焦点距離の近傍にて第１レンズ群Ｕ１のレンズ径を決定している。３番目がズーム位置ｚ２（ｆ＝６６．５７ｍｍ）であり、第２群の結像倍率β２は−１である。この焦点距離近傍にて第３及び第４レンズ群Ｕ３、Ｕ４のレンズ径を決定している。
【手続補正１１】
【補正対象書類名】明細書
【補正対象項目名】００８６
【補正方法】変更
【補正の内容】
【００８６】
４つのズーム位置の中で２番目がズーム位置ｚ１（ｆ＝２７．４１ｍｍ）であり、この焦点距離の近傍にて第１レンズ群Ｕ１のレンズ径を決定している。３番目がズーム位置ｚ２（ｆ＝２４３．０５ｍｍ）であり、第２群の結像倍率β２は−１である。この焦点距離近傍にて第３及び第４レンズ群Ｕ３、Ｕ４のレンズ径を決定している。